【事件の表示】
　平成１１年特許願第　１３８６２号「整流子電動機」拒絶査定不服審判事件〔平成１２年　８月　４日出願公開、特開２０００−２１７３１３〕について、次のとおり審決する。
【結　論】
　本件審判の請求は、成り立たない。
【理　由】
１．手続の経緯
　本願は、平成１１年１月２２日の出願であって、平成２０年１０月１日付で拒絶の理由が通知され（発送日：平成２０年１０月７日）、これに対し、平成２０年１２月４日付で意見書及び手続補正書が提出され、平成２１年２月５日付で最後の拒絶の理由が通知され（発送日:平成２１年２月１０日）、これに対し、平成２１年４月３日付で意見書のみが提出されたが、平成２１年６月３日付で拒絶査定がなされ（発送日：平成２１年６月９日）、これに対し、平成２１年９月９日に拒絶査定不服審判の請求がなされたものである。
　
　
２．本願発明
　本願の請求項１に係る発明（以下、「本願発明」という。）は、平成２０年１２月４日付手続補正書で補正された、特許請求の範囲の請求項１に記載された事項により特定される、以下のとおりのものである。
　
「電機子巻線の端末が接続される整流子を有する電機子と、端子台に固定されて界磁巻線の端末が接続される接続端子を有する界磁と、前記整流子と先端が摺動接触するブラシと、前記ブラシと電気的に接続されながら前記ブラシを長手方向に摺動自在に収納する導電性材料からなるブラシ箱と、前記ブラシ箱を固定保持する合成樹脂からなるブラシ保持器とで構成されるブラシ組立体と、前記界磁を固定保持すると同時に前記電機子が軸受を介して回転自在に保持され、さらに前記ブラシ保持器を挿入固定するための挿入穴を有するブラケットとからなる整流子電動機において、前記端子台は前記ブラシ組立体が挿入されるときに障害とならない程度に近接した位置に配置されかつ前記接続端子は前記ブラシ組立体の方向に延設された板状の導電体であり、前記ブラシ箱は少なくとも一つの側面に弾性変形が可能な台形形状の接続受台と、前記接続受台（注：「接続台」は誤記と認める）に近接対向するように配置された弾性変形が可能な接続アームとが電気的に接続され、さらに前記ブラシ保持器には、前記接続受台および前記接続アームを収納する空間を有し、この空間はブラシ保持器の一側面に設けられかつ前記ブラシ箱の一側面から離れた壁部と前記接続端子が挿入されるための開口部とからなり、この壁部によって前記ブラシ箱が所定位置に取り付けられたときに前記接続アームが前記接続受台（注：「接続台」は誤記と認める）の方向に向って押圧され、前記ブラシ組立体を前記ブラケットのブラシ保持器挿入穴へ挿嵌することによって、前記接続端子が、前記接続受台と前記接続アームとの間に挟み込まれ、台形形状の接続受台の弾性変形による圧接力により圧接状態で挟持される整流子電動機。」
　
　
３．引用例
　これに対して、原審の拒絶の理由に引用された特開平９−７４７２２号公報（以下、「引用例１」という。）には、図面と共に、以下の事項が記載されている。
　
１−ａ「図２により整流子電動機１３の構成を説明する。図２中２１は底付きの略円筒形状のフレームで、その底壁に突設されて第２ゴムパッキン１８が被嵌する軸受ハウジング部２１ａには軸受２２が内蔵されている。フレーム２１の開口縁２１ｂには前記ファンカバーが嵌合して取付けられているとともに、フレーム端板２３が取付けられている。この端板２３はフレーム２１の開口を径方向に横断する帯板状であって、その両側縁と開口縁２１ｂとの間に吸込み開口を夫々形成している。フレーム端板２３の中央部に形成された軸受ハウジング部２３ａには軸受２４が内蔵されている。
　軸受２２、２４に渡って電機子２５の回転軸２６が支持され、この軸２６の軸受２４を貫通した端部には図示しない前記遠心ファンが取付けられる。電機子２５は、回転軸２６と、この軸２６に嵌合して固定されたアーマチュアコア２７と、このコア２７に巻き付けたアーマチュアコイル２８と、回転軸２６に嵌合した固定された整流子２９とを備えてなり、アーマチュアコイル２８の端末部は、夫々整流子２９の周部に互いに絶縁状態に並設された複数の整流子片２９ａに接続されている。
　フレーム２１の底部側の周部等には複数（図２に１個のみ図示）の排出口３８が設けられている。この排出口３８と開口縁２１ｂとの間に位置して、フレーム２１には固定子３１が内蔵されている。この固定子３１は、平面から見た外形形状が略四角であって、その四隅をフレーム２１の内周面に圧入して設けられ、フレーム２１の内周面とこれに対向する固定子３１の側面との間には夫々通気間隙３２（図２に１個のみ図示）が形成されている。
　フレーム２１の底部側に位置される固定子３１の端部には、電気絶縁をなす合成樹脂製の巻線ホルダ３３が取付けられ、このホルダ３３に一体に成形された一対の図示しない端子台には接続端子３４が取付けられている。接続端子３４には固定子コイル３１ａの端末部が電気的に接続されているとともに、この接続端子３４はフレーム２１の内周面に接近するように延びる平板状の端子板部分を有している。
　フレーム２１の周壁にはこれをラジアル方向に貫通して一対のブラシ装置４１が取付けられている。これらブラシ装置４１は、図４を除く図３〜図７に示されるようにホルダ絶縁４２と、ブラシホルダ４３と、ブラシ４４と、ピッグテール４５と、コイル状のばね４６と、保護スイッチ手段４７とを備えている。
　詳しくは、合成樹脂で成形されたホルダ絶縁４２は、フレーム２１の周壁を貫通するホルダ絶縁本体４２ａと取付けフランジ４２ｂとを有している。取付けフランジ４２ｂはフレーム２１の周壁外面に重なるものであって、これを貫通して前記周壁に螺合されるねじ４８を締め付けることにより、ホルダ絶縁４２がフレーム２１に取外し可能に固定されている。
　図３等に示されるようにホルダ絶縁本体４２ａには、互いに平行な端子取付け孔４９とホルダ取付け孔４２ｅとが夫々貫通して設けられている。図１０〜図１２に示されるようにホルダ取付け孔４２ｅの内面には、その軸方向に沿う複数のリブ４２ｄが互いに平行に突設されており、これらリブ４２ｄによりホルダ取付け孔４２ｅの内面から浮かせてブラシホルダ４３が支持されるようになっている。」（【0023】−【0029】）
　
１−ｂ「図１０〜図１２に示されるようにホルダ絶縁本体４２ａには、その端子取付け孔４９の下面（ホルダ取付け孔４２ｅ側の面）と面一に連なる金具設置面４２c1有した端子金具支え部４２ｃが一体に設けられている。この支え部４２ｃは端子取付け孔４９の入り口側から整流子２９側に向けて延びており、その幅方向両側には夫々係止溝条４２c2が形成されている。これら溝条４２c2の下面と金具設置面４２c1とは同一平面をなしている。
　後述の端子金具と対をなす電気導体としてのブラシホルダ４３は鋼板または銅板等からなり、一端が開放されるとともに、他端が端壁４３ｅにより略閉鎖された筒状をなしている。」（【0030】−【0031】）
　
１−ｃ「ブラシホルダ４３の整流子２９側端部には、スリット５５により区画された前記先端部分のうち例えば壁部４３ｃ側の前記先端側部分からなる第２溶断体接続部５２が設けられている。この接続部５２はブラシホルダ４３の外面に突出されていて、その内面とブラシ４４との間に、熱抵抗手段としての空隙５３を設けている。第２溶断体接続部５２には嵌合部としての接続孔５２ａが設けられている。」（【0033】）
　
１−ｄ「電気導体からなるブラシ４４には、炭素粉末を合成樹脂製結着材製のバインダーで結着して角柱状に固めたカーボンブラシが採用されている。ブラシ４４はブラシホルダ４３内にこのホルダ４３をガイドとして軸方向に移動可能に設けられている。このブラシ４４にはピッグテール４５の一端部が埋め込まれ、これらは電気的に接続されたブラシアッセンブリをなしている。ピッグテール４５の他端部は前記端壁４３ｅにスポット溶接等により固定されている。それにより、このピックテール４５を介してブラシホルダ４３とブラシ４４とは電気的に接続されている。」（【0035】）
　
１−ｅ「前記保護スイッチ手段４７は、電気導体としてのブラシホルダ４３の一部と、この一部の近傍に配置される端子金具５０と、導電性の感熱溶断体５１とを備えて形成されている。
　図３、図１３、１４等に示されるように端子金具５０は、感熱溶断体５１より硬質であって弾性を有するばね板、例えば真鍮または燐青銅の板により形成されている。真鍮製とすることは材料コストが安い点で優れており、また、燐青銅製とすることは加工が容易であるとともに、硬度が大きい点で優れている。この端子金具５０の平板状をなす本体部５０ｃの幅方向両側縁に夫々鋸歯状の係止凸部５０c1を有している。さらに、端子金具５０は、本体部５０ｃの一端から起こされて略への字形に曲げられた取付け部５０ａを有しているとともに、本体部５０ｃの他端から突出されたばね部５０ｂを有している。
　この端子金具５０は、その両側縁を前記係止溝条４２c2に整流子２９側から圧入することによって、その本体部５０ｃを金具設置面４２c1に密接するとともに、取付け部５０ａを端子取付け孔４９に挿入して、ホルダ絶縁４２に取付けられている。それにより、端子金具５０はブラシホルダ４３の端子支え部４２ｃに沿って配置されている。
　取付け部５０ａは端子取付け孔４９の相対向する内面に弾性的に押し付けられ圧接されている。端子取付け孔４９には、ブラシ装置４１の既述の取付けに伴って前記接続端子３４の平板状の端子板部分が挿入され、それにより接続端子３４を介して固定子コイル３１ａと端子金具５０とが電気的に接続されるようになっている。」（【0037】−【0040】）
　
１−ｆ「ばね部５０ｂの整流子側先端部は、前記第２溶断体接続部５２に近接しかつ非接触に配置される第１溶断体接続部５６として使用されており、この部分には感熱溶断体５１に圧接する凹凸部５７がプレス加工により設けられている。」（【0042】）
　
１−ｇ「第１、第２の溶断体接続部５６、５２は、これらの間に設けられた感熱溶断体５１を介して電気的に接続されている。感熱溶断体５１には、低融点金属例えば半田（本実施形態）、または導電性を有する熱溶融性の合成樹脂、同合成ゴム等が例えば採用されている。」（【0043】）
　
１−ｈ「この第１の実施の形態においては、整流子電動機１３の固定子３１の固定子コイル３１ａと、整流子２９に弾性的に押し付けられたブラシ４４とは、保護スイッチ手段４７およびピッグテール４５を介して電気的に接続されている。保護スイッチ手段４７は、端子金具５０とブラシホルダ４３の一部である壁部４３ｃとを、スイッチ接片として利用した構成をなしていて、ブラシ４４と整流子２９との間に発生するスパークの発生側に寄せて配置されている。」（【0053】）
　
　上記記載及び図２、図３を参照すると、接続端子３４の平板状の端子板部分はホルダ絶縁４２の方向に延設されているとともに、接続端子３４は、端子取付け孔４９の内面と端子金具５０の取付け部５０ａの間で、取付け部５０ａが弾性的に押し付けられ圧接されている。
　
　上記記載事項からみて、引用例１には、
「アーマチュアコイル２８の端末部が接続される整流子２９を有する電機子２５と、端子台に取付けられて固定子コイル３１ａの端末部が接続される接続端子３４を有する固定子３１と、前記整流子２９に弾性的に押し付けられたブラシ４４と、前記ブラシ４４と電気的に接続されながら前記ブラシ４４を軸方向に移動可能に収納する電気導体からなるブラシホルダ４３と、前記ブラシホルダ４３を支持する合成樹脂からなるホルダ絶縁４２とで構成されるブラシ装置４１と、前記固定子３１を内周面に圧入して設けられると同時に前記電機子２５の回転軸２６が軸受２２を介して回転自在に保持され、さらに前記ホルダ絶縁４２が周壁を貫通するフレーム２１とからなる整流子電動機１３において、前記端子台は固定子３１の端部に配置されかつ前記接続端子３４はホルダ絶縁４２の方向に延設された平板状の端子板部分を有する電気的接続部材であり、前記ブラシホルダ４３は略への字形に曲げられた取付け部５０ａを有する端子金具５０が電気的に接続され、さらに前記ホルダ絶縁４２には、前記取付け部５０ａを収納する端子取付け孔４９を有し、この端子取付け孔４９はホルダ絶縁４２のホルダ取付け孔４２ｅと平行に設けられかつ前記ブラシホルダ４３から離れた前記取付け部５０ａと相対向する内面と前記接続端子３４が挿入されるための入り口とからなり、この内面によって前記ブラシホルダ４３が所定位置に取り付けられたときに前記取付け部５０ａが前記内面に弾性的に押し付けられ圧接され、前記ブラシ装置４１を前記ホルダ絶縁４２が前記フレーム２１の周壁を貫通することによって、前記接続端子３４が、前記端子取付け孔４９の内面と前記取付け部５０ａの間で、前記取付け部５０ａが弾性的に押し付けられ圧接されている整流子電動機１３。」
との発明（以下、「引用例１発明」という。）が記載されている。
　
　同じく、当審の拒絶の理由に引用された特開平１０−３２７５６５号公報（以下、「引用例２」という。）には、図面と共に、以下の事項が記載されている。
　
２−ａ「本発明は、家庭用電気機器等に用いられる整流子電動機に関するものである。」（【0001】）
　
２−ｂ「図２（ａ），（ｂ）は、従来の電動機におけるブラシと巻線の接続されたブラシ端子の間の接続状態を表した図である。従来の電動機においては、図２（ａ）に示すように、界磁鉄心１に取り付けられた巻枠２に巻線と電気的に接続されたブラシ端子３が圧入固定されている。また、カーボンブラシ４が取り付けられたブラシ箱５に溶接などの工法により一端を固定された数回の折り曲げ加工を施された、バネ性の端子６が取り付けられている。
　上記のようにしてなる界磁組立体及び、ブラシ組立体において、図２（ｂ）のようにブラシ組立体を矢印の方向に動かすことにより、ブラシ組立体に固定されたバネ性端子が、ブラシ箱に固定された一端を支点として、巻枠に固定されたブラシ端子に接触し、その上、他端がブラシ箱に当接することによりバネ性端子の圧接力が高くなり、ブラシ端子との間の接続を完全なものとしている。
　しかしながら上記のような構成では、ブラシ端子とブラシ箱の間でのバネ性端子の変形のみが、ブラシ端子−ブラシ箱間の接続を行っている構成であるため、界磁鉄心に取り付けられた巻枠や、バネ性端子の寸法によっては、ブラシ端子−ブラシ箱間の圧接状態が不安定となるばかりか、最悪接触しないような状態ともなりかねないといったような課題を有していた。」（【0004】−【0006】）
　
２−ｃ「本発明は、上記従来例の課題点を鑑み、ブラシ端子−ブラシ箱間の接続に際し、ブラシ端子との接続部分を従来のような１個所ではなく２個所とする構成とすることにより、界磁鉄心に取り付けられた巻枠や、バネ性端子の寸法が変化しても電気的接続が、確実に、且つ安全に行うことができるようにすることを目的とする。
　上記課題点を解決するために、本発明の電動機は界磁鉄心に取り付けられた巻線枠と、この巻線枠の凸部に設けたブラシ端子と、前記凸部より高さが低い前記巻線枠に設けたリブ凸部と、ブラシ箱に取り付けたバネ端子とを備え、前記ブラシ箱を固定状態にした時に、前記ブラシ端子を上下方向から押さえつけるように前記バネ端子により挟み、この時、前記バネ端子は前記リブ凸部及び、前記ブラシ箱により支持されているので、巻線枠や、バネ性端子の寸法が変化し、どちらか一方が接触しないような状態に陥ったとしても、もう片方の接触部分は、逆に強く当たるような構成となるため、ブラシ端子−バネ性端子間に、いわゆる巻線とブラシとの間の電気的接続が、より確実に、安全に行うことができることとなる。」（【0007】−【0008】）
　
２−ｄ「本発明の電動機においては、図１（ａ）に示すように、界磁鉄心１に取り付けられた巻枠２に巻線と電気的に接続されたブラシ端子３が圧入固定されており、上下方向から押さえつけられるように、端子台から少しずらした状態で取り付けられており、ブラシ端子−巻枠間での押接力を発生できるようにするためのリブ形状の突起２１が設けられている。また、カーボンブラシ４が取り付けられたブラシ箱５に溶接などの手法により、一端を固定された数回の折り曲げ加工を施されたバネ性端子６が取り付けられている。上記のようにしてなる界磁組立体及び、ブラシ組立体において、図１（ｂ）のようにブラシ組立体を、矢印の方向に動かすことにより、ブラシ組立体に固定されたバネ性端子が、ブラシ箱に固定された一端を支点として、巻枠に固定されたブラシ端子に接触し、その上、バネ性端子の平面部６１がブラシ箱に当接することによりバネ性端子の圧接力が高くなり、ブラシ端子との間の接続を確実にすると共に、バネ性端子の凸部６２が、巻枠に固定されたブラシ端子に再度接触しブラシ端子−ブラシ箱間を電気的に接続することとなり、ブラシ端子−ブラシ箱間において、２個所の接点で接続されていることになる。」（【0011】）
　
　
４．対比
　そこで、本願発明と引用例１発明とを比較すると、引用例１発明の「アーマチュアコイル」、「端末部」、「取付けられて」、「固定子コイル」、「固定子」、「電気導体」、「ブラシホルダ」、「支持する」、「ホルダ絶縁」、「ブラシ装置」、「フレーム」、「平板状の端子板部分を有する電気的接続部材」、「端子取付け孔」、「内面」、「入り口」、「貫通する」は、それぞれ本願発明の「電機子巻線」、「端末」、「固定されて」、「界磁巻線」、「界磁」、「導電性材料」、「ブラシ箱」、「固定保持する」、「ブラシ保持器」、「ブラシ組立体」、「ブラケット」、「板状の導電体」、「空間」、「壁部」、「開口部」、「挿嵌する」に相当する。
　
　その機能・作用をも考慮すると、引用例１発明の「整流子に弾性的に押し付けられたブラシ」は、本願発明の「整流子と先端が摺動接触するブラシ」に相当し、引用例１発明の「ブラシを軸方向に移動可能に収納する電気導体からなるブラシホルダ」は、本願発明の「ブラシを長手方向に摺動自在に収納する導電性材料からなるブラシ箱」に相当し、引用例１発明の「固定子を内周面に圧入して設けられる」は、本願発明の「界磁を固定保持する」に相当し、引用例１発明の「電機子の回転軸が軸受を介して回転自在に保持され」は、本願発明の「電機子が軸受を介して回転自在に保持され」に相当し、引用例１発明の「ホルダ絶縁が周壁を貫通するフレーム」は、本願発明の「ブラシ保持器を挿入固定するための挿入穴を有するブラケット」に相当し、引用例１発明の「接続端子はホルダ絶縁の方向に延設された平板状の端子板部分を有する電気的接続部材」は、本願発明の「接続端子はブラシ組立体の方向に延設された板状の導電体」に相当し、引用例１発明の「ホルダ絶縁のホルダ取付け孔と平行に設けられかつブラシホルダから離れた取付け部と相対向する内面と接続端子が挿入されるための入り口とからなり」は、本願発明の「ブラシ保持器の一側面に設けられかつブラシ箱の一側面から離れた壁部と接続端子が挿入されるための開口部とからなり」に相当し、引用例１発明の「ブラシ装置をホルダ絶縁が前記フレームの周壁を貫通することによって」は、本願発明の「ブラシ組立体をブラケットのブラシ保持器挿入穴へ挿嵌することによって」に相当する。
　
　引用例１発明の「端子台は固定子の端部に配置され」と、本願発明の「端子台は前記ブラシ組立体が挿入されるときに障害とならない程度に近接した位置に配置され」は、「端子台は所定の位置に配置され」との概念で共通し、引用例１発明の「ブラシホルダは略への字形に曲げられた取付け部を有する端子金具が電気的に接続され」と、本願発明の「ブラシ箱は少なくとも一つの側面に弾性変形が可能な台形形状の接続受台と、前記接続受台に近接対向するように配置された弾性変形が可能な接続アームとが電気的に接続され」は、「ブラシ箱は弾性変形が可能な電気的接続端子が電気的に接続され」との概念で共通し、引用例１発明の「取付け部を収納する端子取付け孔を有し」と、本願発明の「接続受台および接続アームを収納する空間を有し」は、「電気的接続端子を収納する空間を有し」との概念で共通し、引用例１発明の「取付け部が内面に弾性的に押し付けられ圧接され」と、本願発明の「接続アームが接続受台の方向に向って押圧され」は、「電気的接続端子が押圧され」との概念で共通し、引用例１発明の「接続端子が、端子取付け孔の内面と取付け部の間で、取付け部が弾性的に押し付けられ圧接されている」と、本願発明の「接続端子が、接続受台と接続アームとの間に挟み込まれ、台形形状の接続受台の弾性変形による圧接力により圧接状態で挟持される」は、「接続端子が、電気的接続端子の弾性変形による圧接力により圧接状態で電気的に接続される」との概念で共通する。
　
　したがって、両者は
「電機子巻線の端末が接続される整流子を有する電機子と、端子台に固定されて界磁巻線の端末が接続される接続端子を有する界磁と、前記整流子と先端が摺動接触するブラシと、前記ブラシと電気的に接続されながら前記ブラシを長手方向に摺動自在に収納する導電性材料からなるブラシ箱と、前記ブラシ箱を固定保持する合成樹脂からなるブラシ保持器とで構成されるブラシ組立体と、前記界磁を固定保持すると同時に前記電機子が軸受を介して回転自在に保持され、さらに前記ブラシ保持器を挿入固定するための挿入穴を有するブラケットとからなる整流子電動機において、前記端子台は所定の位置に配置されかつ前記接続端子は前記ブラシ組立体の方向に延設された板状の導電体であり、前記ブラシ箱は弾性変形が可能な電気的接続端子が電気的に接続され、さらに前記ブラシ保持器には、電気的接続端子を収納する空間を有し、この空間はブラシ保持器の一側面に設けられかつ前記ブラシ箱の一側面から離れた壁部と前記接続端子が挿入されるための開口部とからなり、この壁部によって前記ブラシ箱が所定位置に取り付けられたときに電気的接続端子が押圧され、前記ブラシ組立体を前記ブラケットのブラシ保持器挿入穴へ挿嵌することによって、前記接続端子が、電気的接続端子の弾性変形による圧接力により圧接状態で電気的に接続される整流子電動機。」
の点で一致し、以下の点で相違している。
　
〔相違点１〕
　端子台の配置に関し、本願発明は、端子台はブラシ組立体が挿入されるときに障害とならない程度に近接した位置に配置されるのに対し、引用例１発明は、端子台は固定子の端部に配置されるが、ブラシ組立体が挿入されるときに障害とならない程度に近接した位置に配置されるか不明な点。
〔相違点２〕
　ブラシ箱の弾性変形が可能な電気的接続端子との電気的接続に関し、本願発明は、ブラシ箱は少なくとも一つの側面に弾性変形が可能な台形形状の接続受台と、接続受台に近接対向するように配置された弾性変形が可能な接続アームとが電気的に接続されるのに対し、引用例１発明は、ブラシ箱は略への字形に曲げられた取付け部を有する端子金具が電気的に接続される点。
〔相違点３〕
　電気的接続端子を収納する空間に関し、本願発明は、接続受台および接続アームを収納する空間を有しているのに対し、引用例１発明は、取付け部を収納する端子取付け孔を有している点。
〔相違点４〕
　電気的接続端子の押圧に関し、本願発明は、接続アームが接続受台の方向に向って押圧されるのに対し、引用例１発明は、取付け部が内面に弾性的に押し付けられ圧接される点。
〔相違点５〕
　接続端子と電気的接続端子の圧接状態での電気的接続に関し、本願発明は、接続端子が、接続受台と接続アームとの間に挟み込まれ、台形形状の接続受台の弾性変形による圧接力により圧接状態で挟持されるのに対し、引用例１発明は、接続端子が、端子取付け孔の内面と取付け部の間で、取付け部が弾性的に押し付けられ圧接されている点。
　
　
５．判断
相違点１について
　整流子電動機において、端子台とブラシ組立体は電気的に接続しなければならないことは周知の事項であり、また、通常ブラシ組立体はブラケットに挿入されて固定されるものであるから、ブラシ組立体がブラケットに挿入されるとき、端子台とブラシ組立体が遠すぎれば両者を電気的に接続できず、近すぎれば端子台がブラシ組立体の挿入の障害になることは、整流子電動機の構造を考慮すれば自明のことと認められるので、引用例１発明においても、固定子の端部に配置される端子台を、ブラシ組立体が挿入されるときに障害とならない程度に近接した位置に配置することは、当業者であれば適宜なし得る程度のことと認められる。
　
相違点２、３、４、５について　
　引用例２には、界磁鉄心に取り付けられた巻枠や、バネ端子の寸法が変化しても電気的接続が、確実に、且つ安全に行うことができるようにすることを目的として、『ブラシ箱（「ブラシ箱」に相当）は少なくとも一つの側面に弾性変形が可能な台形形状の接続受台と、接続受台に近接対向するように配置された弾性変形が可能な接続アーム（「バネ端子」に相当）とが電気的に接続され、接続アームが接続受台の方向に向って押圧され（「バネ端子はリブ凸部」「により支持されて」「ブラシ端子−巻枠間での押接力を発生できるようにする」態様に相当）、接続端子（「ブラシ端子」に相当）が、接続受台と接続アームとの間に挟み込まれ（「上下方向から押さえつけるようにバネ端子により挟」む態様に相当）、台形形状の接続受台の弾性変形による圧接力により圧接状態（「バネ端子は」「ブラシ箱により支持され」、「バネ端子の平面部がブラシ箱に当接することによりバネ端子の圧接力が高くな」る態様に相当）で挟持される（「バネ端子により挟」む態様に相当）整流子電動機の電気的接続の態様』が示されており、当該目的は本願発明の目的と同一である。また、ブラシ部分と界磁巻線との電気的接続が、確実且つ安全であることが求められることは、引用例１には明示はないものの、この様な電気的接続に潜在する課題の一つである。
　そうであれば、引用例１発明においても、接続端子と端子金具の確実且つ安全な電気的接続のために、端子金具に代えて引用例２記載のもののようなバネ端子を採用して、ブラシ箱は少なくとも一つの側面に弾性変形が可能な台形形状の接続受台と、接続受台に近接対向するように配置された弾性変形が可能な接続アームとが電気的に接続され、接続アームが接続受台の方向に向って押圧され、接続端子が、接続受台と接続アームとの間に挟み込まれ、台形形状の接続受台の弾性変形による圧接力により圧接状態で挟持されるようにして、相違点２、４、５のようにすることは当業者が容易に考えられることと認められる。その際、引用例１発明において、電気的接続端子を収納する空間に、引用例２記載のもののような接続受台および接続アームを収納して相違点３のようにすることは、当業者であれば適宜なし得る程度のことと認められる。
　
　そして、本願発明の作用効果も、引用例１発明、引用例２記載のもの及び上記周知の事項から当業者が予測できる範囲のものである。
　したがって、本願発明は、引用例１発明、引用例２記載のもの及び上記周知の事項に基いて当業者が容易に発明をすることができたものである。
　
　
６．むすび
　したがって、本願発明は、引用例１発明、引用例２記載のもの及び上記周知の事項に基いて当業者が容易に発明をすることができたものであるから、特許法第２９条第２項の規定により特許を受けることができない。
　よって、結論のとおり審決する。